(57)【要約】【課題】第１にティッシュペーパーの様な紙様体を使用するに当り、収納箱を廃止して低コスト化、省資源化を図ること。第２にティッシュペーパーの様な紙様体を重ねた高さを思い切り増しても、紙様体が収納袋体から最後まで取り出せる様にすること。【解決手段】ティッシュペーパーの様な紙様体を重ねた立体物Ａをポリエチレンフィルムの様な包装材で包む事によって収納袋体１によって立体物Ａを収納する構成とし、更に収納袋体１の頂部が底部に向かって順次沈んでゆく様に輪ゴムの様な弾性引張り部材５を備える様にした。【選択図】図１
2011189983.tif 000002
【特許請求の範囲】
【請求項１】
紙様体を一部が互いに重なる様に折り畳んで多数連ねたものを一定の高さにして立体物とし、前記立体物をポリエチレンフィルム、ポリプロピレンフィルムなどの様な包装材で包む事によって収納袋体によって立体物を収納する構成とし、更に紙様体の使用に従って前記収納袋体の頂部が底部に向かって順次沈んでゆく様に輪ゴムの様な弾性引張り部材を備えた事を特徴とする紙様体の収納袋体。
【請求項２】
収納袋体の頂部に切欠き口を有する当て部材を備えた請求項１記載の収納袋体。
【請求項３】
当て部材の切り欠き口の囲りの縁部が４．５ｃｍ以下の幅である様にした請求項２記載の収納袋体。
【発明の詳細な説明】
【技術分野】
【０００１】  本発明は紙様体（紙の様に薄いもの−例えばティッシュペーパー、ポリエチレン製袋など）を一部が互いに重なる様に折り畳んで連ねたものを収納する収納袋体に係わり、更に詳しくは収納袋体が包装材（例えばポリエチレンフィルムなど）により袋状になったものに関する。
【背景技術】
【０００２】  上記紙様体を一部が互いに重なる様に多数折り畳んで連ねたものはティッシュペーパーが代表例として挙げられるが、これは一般には３００〜４００枚位を連ねて紙製の収納箱に収納されて販売されており、ティッシュペーパーを使い切ったらこの収納箱はその都度使い捨てとなり、従ってコスト高、資源の浪費に繋がる。
収納箱に収納するティッシュペーパーを１０００〜１５００枚位として枚数を増せば、使い捨てになる収納箱はそれだけ減少してこの欠点はかなり改善されるが、今度は収納箱の高さが増してティッシュペーパーを途中までしか取り出す事ができず（ティッシュペーパーが収納箱の中に落ち込んでしまう）、苦労する。特にトイレットペーパーでは柔らかくするエンボス加工が施こされている為、厚くなって同じ枚数を収納する場合は収納箱の高さは相当に高くなり、この欠点は深刻である。
【発明の開示】
【発明が解決しようとする課題】
【０００３】  本発明の目的は第１に収納箱を廃止して、収納袋体による収納方法（例えばポリエチレンフィルムなどの包装材により包装して、これを収納袋体とする方法）として低コスト化、省資源化を図ることにある。第２に、紙様体を一部が互いに重なる様に折り畳んで多数連ねたものの高さを思い切り増しても紙様体が最後の１枚までスムーズに取り出せる様にすることにある。
【課題を解決する為の手段】
【０００４】  本発明は上記目的を達成する為、紙様体を一部が互いに重なる様に折り畳んで多数連ねたものを一定の高さにして立体物とし、前記立体物をポリエチレンフィルム、ポリプロピレンフィルムなどの様な包装材で包む事によって収納袋体によって立体物を収納する構成とし、更に紙様体の使用に従って前記収納袋体の頂部が底部に向かって順次沈んでゆく様に輪ゴムの様な弾性引張り部材を備える様に構成した。
【発明の効果】
【０００５】  本発明によればティッシュペーパーの様な紙様体を収納するに当って収納箱を使用していないので、その分低コストであり、省資源的である（当て部材３を使用する場合でもこれは収納箱に比べて小さく、構造が簡単な為、低コスト・省資源である）。当て部材３をプラスチック製とする場合はこれは丈夫なので何回でも繰り返して使え（使い捨てにしない）、従って消費者は次回からは当て部材のない収納袋体に収納されただけの紙様体を購入する事になるので（店頭にはプラスチック製の当て部材があるものとないものとを並べて陳列し、消費者にその様に選んで貰う）、結局は使えば使う程、お徳で省資源となる。又、紙様体の使用に従って収納袋体の頂部が底部に向かって順次沈んでゆく様に弾性引張り部材を備えているので、紙様体は途切れる事なく最後の１枚までスムーズに収納袋体から取り出す事ができる。
【発明を実施する為の最良の形態】
【０００６】  図１（イ）は本発明による紙様体の収納袋体を示し、紙様体（紙の様に薄いもの−例えばティッシュペーパー、トイレットペーパー、キッチンペーパー、ポリエチレン製袋など）を一部が互いに重なる様に折り畳んで多数連ねたものを一定の高さにして立体物Ａとし、この立体物Ａを紙、ポリエチレンフィルム、ポリプロピレンフィルムなどの様な包装材で包む事によって収納袋体１によって立体物Ａを収納する構成としてある。この場合、立体物Ａの高さが高いと型崩れし易くなるから、図２（イ）の様に予め紙帯６により結束しておいてから包装材で包む様にしても良い（使う時は紙帯６を切る）。５は輪ゴムの様な弾性引張り部材を示し、これを立体物Ａの長手方向に掛ける事によって収納袋体１の頂部が底部に向かって順次沈んでゆく様になっている。即ち、紙様体を使う（紙様体を取り出す）に従って弾性引張り部材５の引張り力により立体物Ａの高さは順次減少してゆくが、この減少分だけ収納袋体１の上部は皺となって高さが減少してゆくのである。これにより取出しスリット２（紙様体を取り出す為のスリット）はどんなに紙様体を使っても紙様体の直ぐ上にあるので（乗かっている）、紙様体を最後まで途切れる事なく取出しスリット２から取り出す事ができる（収納袋体１が従来の様に収納箱であると、かなり紙様体を使った時点で紙様体が収納箱内に落ち込み、取り出す事ができなくなる）。２は紙様体を取り出す為の取り出しスリットであるが、最初は収納袋体１にミシン目として形成されており、これを破って取出しスリットとするのである。又、最初は弾性引張り部材５は立体物Ａの頂部に乗っかっており、取り出しスリット２を開いて取り出し、これを図示の様に収納袋体１の長手方向に掛けるのである（これは消費者にやって貰う）。ところで紙様体を使うに従って立体物Ａの高さが減少し、これに伴ない収納袋体１の上部に皺が多数できて美観を損う欠点がある。そこで、本発明では図示の如く収納袋体１の頂部に切り欠き口４を有する当て部材３を備える事が望ましい（必要不可欠なものではない）。この当て部材３は紙製又はプラスチック製とし、着色や図柄などで美しい外観を与える様にする。ティッシュペーパーなどの紙様体を取り出す時は取り出しスリット２の周辺が持ち上がる事によって当て部材３を揺らすので、これを防ぐ為に当て部材３には十分に大きな切り欠き口４を形成しておくが、この場合、切り欠き口４の囲りの当て部材３の縁部は４．５ｃｍ以下の幅である様にすると効果がある。
当て部材３は収納袋体１の頂部に粘着剤により粘着させる構成としても良い。
以上により紙様体の使用により立体物Ａの高さが減少し、これに伴ない収納袋体１の上部に皺ができても、この皺は当て部材３の下に潜り込んで見えなくなるので、美観が損なわれる事はない。当て部材３は図１（ロ）の様に単なる平板状のものでも、図１（ハ）の様に断面がコ字状のものでも良い（いずれの場合でも上記皺は、これらの当て部材の下に潜り込んで、美観を損なう事はない）。尚、通常は収納袋体１の頂部に当て部材３を乗せ、この当て部材３に弾性引張り部材５を掛ける構成とするが、紙様体で構成された立体物Ａの頂部に当て部材３を乗せ、これを包装材で包む事によって収納袋体１の頂部に弾性引張り部材５を掛ける構成（当て部材３は収納袋体１の内部にある）とする事も考えられる。この構成では紙様体の使用によりできる収納袋体１の上部の皺は当て部材３の下に潜り込まずにその上に皺が寄ってゆく事になるが、当て部材３がある事によって細かな皺が平たく寄ってゆく状態となるので、当て部材がない場合に比し美観が大きく損なわれる事はない（当て部材がないと上記皺は大きな段差ができて波打ち、美観を損なう）。図２（ロ）は弾性引張り部材５を図１（イ）の掛け方とは直交する方向に掛けた実施例である。
【０００７】  尚、図１、２において当て部材３をプラスチック製などとして重くし、その重量により収納袋体１の頂部が底部に向かって沈んでゆく構成とすれば、弾性引張り部材５を除去できる。
【０００８】  一般にティッシュペーパーの様な紙様体は紙製の収納箱に収納されているものが多いが、収納箱を廃止して代りにポリエチレン、ポリプロピレンの様なフィルムにより包装して製品化しているものも一部にある。しかしながらこれは使っている内にフィルム包装に形成された取出しスリットが拡がって大きく口を開き、ほこりなどがは入り易い欠点がある。そこで図３（イ）の様にティッシュペーパーの様な紙様体をフィルムにより包装すると共に、内部に図３（ロ）の当て紙７を入れる事が考えられる。この当て紙７は紙様体の頂部に乗っかっており、紙様体と共にフィルム包装されているが、指入れ部９を有するスリット８が形成されている。従って使う時はミシン目として形成されている取出しスリットを破り、指入れ部９に指を入れて内部の紙様体をスリット８を通して取出しスリットから取り出す事になる。これにより取出しスリットが大きく口を開けても、当て紙７のスリット８は抵抗力があってそうならない為、ほこりなどの侵入を防ぐことができる。又、当て紙７を美しくすれば全体の外観が美麗化する利点も生れる。尚、当て紙７は図３（ハ）の様に両端部に側紙があるもの、図３（ニ）の様に全周に側紙があるものなども考えられる。
【０００９】  一般にティッシュペーパーなどの紙様体を収納箱（紙製）に収納したものでは紙様体の収納枚数を２倍、３倍と増量すると収納箱の高さが高くなって、紙様体を最後まで取り出す事ができず、紙様体が途中で収納箱内に落ち込んでしまう欠点がある。そこで図４（イ）の様に引張り部材１３（例えば輪ゴム）により収納箱１０に収納された紙様体（例えばティッシュペーパー）を取り出し口１１側へ引き寄せる構成とし、かつ引張り部材１３の一部は収納箱１０の内部にあり、残りの一部は収納箱１０の外部にある様に構成した。即ち、収納箱１０には切り欠き溝１２が形成されており（これは最初はミシン目として構成されているが、ミシン目を破る事により切り欠き溝１２となる）。この切り欠き溝１２に引張り溝１３を嵌め込んで収納箱１０の上端に掛けられる。従って、紙様体の底部に掛けられた引張部材１３により紙様体は全体が取出し口１１側へ引き寄せられる構成となる（紙様体を使用するに従って、軽くなった分だけ紙様体全体が持ち上ってゆく）。収納箱１０には図４（ロ）に示す底板１４がすっぽりと収納され、紙様体はこの底板１４の上に乗る構成であり、引張り部材１３は正確にはこの底板１４に掛けられている。底板１４は単なる平板状のものでも良いが、側板１５付とし、変形と紙様体の倒れ（崩れ）を防ぐ様にする事が望ましい（底板１４は図４（ハ）の様に箱状としても良い）。側板１５の高さはほぼ切り欠き溝１２の高さとし、これにより内部の紙様体がむき出しに見えるのを防ぐ様にする。引張り部材１３の一部は収納箱の内部にあり、残りの一部は外部にある構成なので、引張り部材１３を紙様体の底部に収納箱１０の外部から掛ける事ができる。切り欠き溝１２を通して内部の紙様体がむき出しに見えるのを防ぐには、図４（ニ）に示す様に（これは断面を示している）切り欠き溝１２の上部の糊付け部１６により糊付けされたフィルム１７を備えても良い（又は、この代りに紙様体を予めフィルム包装しておいても良い）。
尚、切り欠き溝１２は２箇所に形成しても良い。図４（ホ）は切り欠き溝１２を収納箱１０の長手方向に形成したものである。かくして紙様体の使用により軽くなった分だけ紙様体全体が順次持ち上ってゆくので、紙様体を最後まで取り出す事ができる。図４（ヘ）は紙様体に予め引張り部材２０をその周囲に掛けて収納箱に収納したもので、取り出し蓋１８を開けると（ミシン目を切る事により取り出し蓋となる）引張り部材２０が現われるので、これを図４（ト）の様に上方へ引っ張り、収納箱の底に掛ける。これにより図４（イ）と同様に紙様体を最後まで取り出す事ができる。図４（チ）はバネ２１（板バネ、うず巻きバネ等）により紙様体を持ち上げるものを示す
【図面の簡単な説明】
【図１】  本発明による紙様体の収納袋体を示す図。
【図２】  本発明による紙様体の収納袋体の実施例を示す図。
【図３】  紙様体をフィルム包装し、当て紙を入れたものを示す図。
【図４】  引張り部材、バネ等により紙様体を持ち上げる構造の収納箱を示す図。
【符号の説明】  １は収納袋体、Ａは立体物、２は取出しスリット、３は当て部材、４は切り欠き口、５は弾性引張り部材、６は紙帯、７は当て紙、８はスリット、９は指入れ部、１０は収納箱、１１は取出し口、１２は切り欠き溝、１３は引張り部材、１４は底板、１５は側板、１６は糊付け部、１７はフィルム、１８は取出し蓋、１９は取出し口、２０は引張り部材、２１はバネである。
【図１】
2011189983.tif 000003
【図２】
2011189983.tif 000004
【図３】
2011189983.tif 000005
【図４】
2011189983.tif 000006